(57)【要約】【課題】光学装置の小型化を図れるプロジェクターを提供する。【解決手段】プロジェクター１は、複数の色光を色光毎に画像情報に応じて変調する複数の反射型光変調装置５２と、複数の反射型光変調装置５２に対応して設けられ、反射型光変調装置５２に照射される色光及び反射型光変調装置５２にて変調された色光を偏光分離する複数のワイヤーグリッド５１と、複数の反射型光変調装置５２にて変調され複数のワイヤーグリッド５１を介した各色光をそれぞれ入射する複数の光入射面を有し、入射した各色光を合成するプリズム５３と、プリズム５３にて合成された色光を投射する投射レンズ３と、入射した色光を透過させるガラス板５４とを備える。ガラス板５４は、複数のワイヤーグリッド５１のうちワイヤーグリッド５１Ｂ、及びプリズム５３の間の光路上にのみ配置する。【選択図】図１
2011150159.tif 000002
【特許請求の範囲】
【請求項１】
複数の色光を色光毎に画像情報に応じて変調する複数の反射型光変調装置と、
前記複数の反射型光変調装置に対応して設けられ、前記反射型光変調装置に照射される色光及び前記反射型光変調装置にて変調された色光を偏光分離する複数の反射型偏光板と、
前記複数の反射型光変調装置にて変調され前記複数の反射型偏光板を介した各色光をそれぞれ入射する複数の光入射面を有し、入射した各色光を合成する色合成光学装置と、
前記色合成光学装置にて合成された色光を投射する投射レンズと、
入射した色光を透過させる透光性部材とを備え、
前記透光性部材は、
前記複数の反射型偏光板のうちいずれかの第１の反射型偏光板、及び前記色合成光学装置の間の光路上にのみ配置されている
ことを特徴とするプロジェクター。
【請求項２】
請求項１に記載のプロジェクターにおいて、
前記複数の色光のうち前記第１の反射型偏光板に照射される第１の色光の光路の一部は、前記複数の反射型光変調装置のうち前記第１の反射型偏光板に対応する第１の反射型光変調装置とは異なる第２の反射型光変調装置の背面側に位置付けられている
ことを特徴とするプロジェクター。
【請求項３】
請求項１または請求項２に記載のプロジェクターにおいて、
前記透光性部材は、
透過させた色光を出射する光出射側の端面が前記光入射面に対して所定の角度、傾斜するように配置されている
ことを特徴とするプロジェクター。
【発明の詳細な説明】
【技術分野】
【０００１】
本発明は、プロジェクターに関する。
【背景技術】
【０００２】
従来、入射した光束を画像情報に応じて変調する光変調装置として、Ｒ（赤）、Ｇ（緑）、Ｂ（青）の３つの色光毎にＬＣＯＳ(Liquid Crystal On Silicon)等の反射型液晶パネルを３枚採用した、いわゆる三板式のプロジェクターが知られている（例えば、特許文献１参照）。
特許文献１に記載のプロジェクターでは、反射型液晶パネルに照射される色光及び反射型液晶パネルで変調された色光を偏光分離するワイヤーグリッドが色光毎に設けられ、反射型液晶パネルで変調され各ワイヤーグリッドにて偏光分離された各色光を色合成光学装置にて合成し、投射レンズにてスクリーン上に投射する。
【先行技術文献】
【特許文献】
【０００３】
【特許文献１】特開２００９−０３６８１９号公報
【発明の概要】
【発明が解決しようとする課題】
【０００４】
ところで、プロジェクターの小型化を図るべく各光学部品を密集して配置すると、３つの色光のうち特定の色光の光路と他の色光の光路上に配置される光学部品との間の距離が十分に保てなくなる。そこで、光学装置の小型化を維持しながら上記距離を十分に保つためには、例えば、上記特定の色光の光路上に配置されるワイヤーグリッドと色合成光学装置との間の距離を伸ばす、すなわち、上記特定の色光の光路長のみを伸ばすことが考えられる。
しかしながら、各反射型液晶パネルは、投射レンズで鮮明な画像光を投射するために、すべて投射レンズのバックフォーカス位置に配置する必要があり、特定の色光の光路長を、当該色光を変調する反射型液晶パネル及び投射レンズ間において単純に伸ばそうとすると、他のすべての色光の光路長も伸ばさなければならず、光学装置の小型化が図れない。
【０００５】
本発明の目的は、小型化が図れるプロジェクターを提供することにある。
【課題を解決するための手段】
【０００６】
本発明のプロジェクターは、複数の色光を色光毎に画像情報に応じて変調する複数の反射型光変調装置と、前記複数の反射型光変調装置に対応して設けられ、前記反射型光変調装置に照射される色光及び前記反射型光変調装置にて変調された色光を偏光分離する複数の反射型偏光板と、前記複数の反射型光変調装置にて変調され前記複数の反射型偏光板を介した各色光をそれぞれ入射する複数の光入射面を有し、入射した各色光を合成する色合成光学装置と、前記色合成光学装置にて合成された色光を投射する投射レンズと、入射した色光を透過させる透光性部材とを備え、前記透光性部材は、前記複数の反射型偏光板のうちのいずれかの第１の反射型偏光板、及び前記色合成光学装置の間の光路上にのみ配置されていることを特徴とする。
【０００７】
本発明では、プロジェクターは、第１の反射型偏光板及び色合成光学装置の間の光路上にのみ透光性部材が配設されている。
ここで、反射型偏光板及び色合成光学装置間の光路上に透光性部材を配置すると、当該透光性部材を透過する色光の光路長が透光性部材を配置しない場合よりも長くなる。具体的に、透光性部材の厚さを「ｄ」とし、屈折率を「ｎ」とすると、透光性部材を進む色光と空気中を進む色光との光路差、すなわち透光性部材を透過する光路長の伸び量Ａは、以下の式（１）のようになる。
【０００８】
［数１］
Ａ＝（１−１／ｎ）ｄ  ・・・（１）
【０００９】
したがって、本発明では、光学装置の構成部品を密集して配置することで、特定の色光の光路と構成部品との距離が十分に保てない場合であっても、この特定の色光の光路長のみを伸ばして構成部品との距離を十分に保つことができるため、プロジェクターの小型化が図れる。
【００１０】
本発明のプロジェクターでは、前記複数の色光のうち前記第１の反射型偏光板に照射される第１の色光の光路は、前記複数の反射型光変調装置のうち前記第１の反射型偏光板に対応する第１の反射型光変調装置とは異なる第２の反射型光変調装置の背面側に位置付けられていることが好ましい。
本発明では、プロジェクターは、第１の色光の光路が第２の反射型光変調装置の背面側に位置付けられているため、第１の色光の光路と第２の反射型光変調装置との距離を適切に調整することができる。特に、第２の反射型光変調装置の背面側に、ヒートシンクが設けられている場合には、ヒートシンクの熱を放熱するための空間を効率的に確保することができる。
【００１１】
本発明のプロジェクターでは、前記透光性部材は、透過させた色光を出射する光出射側の端面が前記光入射面に対して所定の角度、傾斜するように配置されていることが好ましい。
本発明では、透光性部材における光出射側の端面は、光入射面に対して所定の角度、傾斜するように配置されている。このため、色合成光学装置の光入射面で反射され、透光性部材にてさらに反射された色光（迷光）を、色合成光学装置を外れた方向に進行させることができる。したがって、迷光が色合成光学装置および投射レンズを介して投射画像に入り込むことを防止でき、投射画像の画像品位を良好に維持できる。
【図面の簡単な説明】
【００１２】
【図１】第１実施形態におけるプロジェクターの概略構成を模式的に示す図。
【図２】本実施形態での光路長の伸びについて説明するための図。
【図３】本実施形態での光路長の伸びについて説明するための図。
【図４】第２実施形態におけるガラス板について説明するための図。
【発明を実施するための形態】
【００１３】
[第１実施形態]
以下、本発明の第１実施形態を図面に基づいて説明する。
〔プロジェクターの構成〕
図１は、プロジェクター１の概略構成を模式的に示す図である。
プロジェクター１は、光源から出射される光束を画像情報に応じて変調して画像光を形成し、当該画像光をスクリーン（図示略）上に投射する。このプロジェクター１は、図１に示すように、外装を構成する外装筐体２と、投射光学装置としての投射レンズ３と、光学ユニット４等を備える。
なお、図１において、具体的な図示は省略したが、外装筐体２内において、投射レンズ３及び光学ユニット４以外の空間には、プロジェクター１内部の各構成部材を冷却する冷却ファン等を備えた冷却ユニット、プロジェクター１内部の各構成部材に電力を供給する電源ユニット、及びプロジェクター１内部の各構成部材を制御する制御装置等が配置されるものとする。
【００１４】
光学ユニット４は、前記制御装置による制御の下、光源から出射された光束を光学的に処理して画像信号に対応した画像光を形成する。この光学ユニット４は、図１に示すように、光源装置４１と、照明光学装置４２と、色分離光学装置４３と、集光光学装置４４と、光学装置５とを備える。なお、光学ユニット４は、さらに、これら各部材４１〜４４，５を内部に収納配置する光学部品用筐体（図示略）を備える。
光源装置４１は、光源ランプ４１１及びリフレクター４１２等を備える。
照明光学装置４２は、第１レンズアレイ４２１、第２レンズアレイ４２２、入射した光束を略１種類の直線偏光光に変換する偏光変換素子４２３、及び重畳レンズ４２４を備える。
【００１５】
色分離光学装置４３は、青色光を反射させるＢ光反射ダイクロイックミラー４３１Ａ及び緑色光、赤色光を反射させるＧＲ光反射ダイクロイックミラー４３１ＢがＸ字状に配置されたクロスダイクロイックミラー４３１、緑色光を反射させるＧ光反射ダイクロイックミラー４３２、及び２枚の反射ミラー４３３，４３４を備える。
集光光学装置４４は、反射ミラー４３３と光学装置５（ワイヤーグリッド５１Ｂ）との間及び反射ミラー４３４と光学装置５（ワイヤーグリッド５１Ｒ，５１Ｇ）との間に配設され、入射側レンズ４４１及び出射側レンズ４４２を備える。
【００１６】
そして、光源装置４１から出射され照明光学装置４２を介した光束は、クロスダイクロイックミラー４３１に入射し、青色光成分と緑色光成分及び赤色光成分とに分離される。
クロスダイクロイックミラー４３１にて分離された青色光は、反射ミラー４３３にて反射され、集光光学装置４４を介した後、光学装置５を構成する後述するワイヤーグリッド５１Ｂに入射する。
また、クロスダイクロイックミラー４３１にて分離された緑色光及び赤色光は、反射ミラー４３４にて反射された後、集光光学装置４４を介してＧ光反射ダイクロイックミラー４３２に入射し、緑色光成分と赤色光成分とに分離される。そして、緑色光は、光学装置５を構成する後述するワイヤーグリッド５１Ｇに入射する。一方、赤色光は、光学装置５を構成する後述するワイヤーグリッド５１Ｒに入射する。
【００１７】
〔光学装置の構成〕
光学装置５は、図１に示すように、反射型偏光板としての３つのワイヤーグリッド５１と、３つの反射型光変調装置５２と、色合成光学装置としてのクロスダイクロイックプリズム５３と、透光性部材としてのガラス板５４とを備える。
なお、図１では、説明の便宜上、赤色光側のワイヤーグリッドを５１Ｒ、緑色光側のワイヤーグリッドを５１Ｇ、青色光側のワイヤーグリッドを５１Ｂとしている。反射型光変調装置５２についても同様である。
【００１８】
３つのワイヤーグリッド５１は、３つの反射型光変調装置５２に対応して設けられ、格子構造に基づく回折により入射した光束を偏光分離する。各ワイヤーグリッド５１は、図１に示すように、入射光束の光軸に対して略４５°傾斜した状態で配置される。そして、各ワイヤーグリッド５１は、入射した光束のうち、偏光変換素子４２３で揃えられた偏光方向と略同一の偏光方向を有する偏光光（第１の直線偏光光）を透過させ、前記偏光方向に直交する偏光方向を有する偏光光（第２の直線偏光光）を反射させ、入射した光束を偏光分離する。
【００１９】
３つの反射型光変調装置５２は、図１に示すように、反射型液晶パネル５２１と、ヒートシンク５２２とを備えた構成とされている。
そして、各反射型光変調装置５２は、図１に示すように、各ワイヤーグリッド５１を透過した光束の光軸に対して反射型液晶パネル５２１が略直交した状態でそれぞれ配置される。
【００２０】
反射型液晶パネル５２１は、シリコン基板上に液晶が形成されたいわゆるＬＣＯＳで構成され、熱伝導性材料で構成された保持枠（図示略）に保持されている。
そして、反射型液晶パネル５２１は、前記制御装置による制御の下、前記液晶の配向状態が制御され、ワイヤーグリッド５１を透過した偏光光束の偏光方向を画像情報に応じて変調し、ワイヤーグリッド５１に向けて反射する。反射型液晶パネル５２１にて変調され、ワイヤーグリッド５１に向けて反射された光束は、偏光変換素子４２３で揃えられた偏光方向に直交する偏光方向を有する偏光光のみがワイヤーグリッド５１にて反射されてプリズム５３に向う。
ヒートシンク５２２は、前記保持枠の背面側（反射型液晶パネル５２１の反射面とは反対側）に取り付けられ、反射型液晶パネル５２１の熱を放熱する。
【００２１】
プリズム５３は、図１に示すように、各ワイヤーグリッド５１にて反射された各色光がそれぞれ入射される各光入射面５３１を有し、入射した各色光を合成して画像光を形成する。このプリズム５３は、４つの直角プリズムを貼り合せた平面視略正方形状をなし、直角プリズム同士を貼り合せた界面には、２つの誘電体多層膜が形成されている。これら誘電体多層膜は、ワイヤーグリッド５１Ｇにて反射された緑色光を透過し、各ワイヤーグリッド５１Ｒ，５１Ｂにて反射された赤、青色光をそれぞれ反射する。このようにして、各色光が合成されて画像光が形成される。そして、プリズム５３で形成された画像光は、投射レンズ３によりスクリーンに向けて投射される。
【００２２】
そして、プロジェクター１は、図１に示すように、赤色光、緑色光及び青色光のうち第１の反射型偏光板としてのワイヤーグリッド５１Ｂに照射される第１の色光としての青色光の光路の一部（反射ミラー４３３とワイヤーグリッド５１Ｂとの間の光路）は、ワイヤーグリッド５１Ｂに対応する第１の反射型光変調装置５２Ｂとは異なる第２の反射型光変調装置５２Ｇの背面側（ヒートシンク５２２側）に位置付けられている。
なお、各反射型光変調装置５２の反射型液晶パネル５２１のパネル面は、投射レンズ３が鮮明な画像光を投射するように、すべて投射レンズ３のバックフォーカスに合う位置に配置されている。
【００２３】
反射型光変調装置５２Ｂで変調した青色光は、以下のガラス板５４を透過する。
ガラス板５４は、白色ガラス製の厚みが均一な透明な板で構成され、互いに平行する入射面５４１と出射面５４２とを備えている。入射面５４１は、青色光を入射するガラス板５４の光入射側の端面であり、出射面５４２は、透過させた青色光を出射するガラス板５４の光出射側の端面である。具体的に、入射面５４１及び出射面５４２は、プリズム５３の光入射面５３１の大きさと同じまたは小さく構成されている。そして、ガラス板５４は、プリズム５３の青色光を入射する光入射面５３１に出射面５４２が接着されている。具体的に、ガラス板５４は、透明な接着剤によりプリズム５３に接着されている。このように、ワイヤーグリッド５１Ｂとプリズム５３との間にガラス板５４が配置されていることで、ガラス板５４を透過する青色光の光路長が変化する。
【００２４】
ここで、ガラス板５４と光路長との関係について詳細に説明する。
透光性部材の厚さを「ｄ」とし、屈折率を「ｎ」とすると、透光性部材による光路長の伸び量（透光性部材を進む色光と空気中を進む色光との光路差）Ａは、以下の式（２）で表すことができる。
【００２５】
［数２］
Ａ＝（１−１／ｎ）ｄ  ・・・（２）
【００２６】
例えば、ガラス板５４として、厚さ「ｄ」が４ｍｍであり、屈折率「ｎ」が約１．５である白板ガラスを用いた場合、Ａ＝（１−１／１．５）×４＝約１．３３となり、ガラス板５４を透過する青色光の光路長は、約１．３３ｍｍ伸びることになる。すなわち、ガラス板５４を配置しない場合と比較して、反射型光変調装置５２Ｂに対する投射レンズ３のバックフォーカス位置が約１．３３ｍｍ遠ざかることになる。
なお、式（２）から、ガラス板５４の厚さまたはガラス板５４の材質を変更することで、光路長の伸び量を調整できることがわかる。
【００２７】
図２及び図３は、光路長の伸びについて説明するための図である。具体的に、図２は、本実施形態（ガラス板５４を設けた場合）の光路の構成を示し、図３は、ガラス板５４を設けない場合の光路の構成を示している。
図２に示すように、プロジェクター１は、ガラス板５４を設けることで、ガラス板５４を透過する青色光の光路長が伸びるため、反射型光変調装置５２Ｇと青色光の光路との距離Ｌが十分に保たれる。なお、赤色光及び緑色光の光路長は変わらない。
このように、プロジェクター１は、光学装置５の小型化を図るべくワイヤーグリッド５１、反射型光変調装置５２等の各構成部品を密集して配置しており、青色光の光路と反射型光変調装置５２Ｇとの距離が近づくが、ガラス板５４をワイヤーグリッド５１Ｂ及びプリズム５３間にのみ配置することで青色光の光路長のみが伸び、青色光の光路と反射型光変調装置５２Ｇとの距離を適切に保つことができる。
【００２８】
これに対して、図３に示すように、ガラス板５４を設けなかった場合には、反射型光変調装置５２Ｇと青色光の光路との距離Ｌを十分に保てないことになる。このように、距離Ｌが不十分な場合、反射型光変調装置５２Ｇのヒートシンク５２２の冷却効率が低下するだけでなく、当該ヒートシンク５２２が青色光の光路と干渉してしまう。すなわち、当該ヒートシンク５２２が、当該光路内の集光光学装置４４の構成部品や当該光路を形成する光学部品用筐体等と干渉してしまう。
青色光の光路と反射型光変調装置５２Ｇとの距離を適切に保ちつつ、光学装置５の小型化を図るためには、青色光の光路長だけを伸ばせばよい。しかし、各反射型光変調装置５２は、投射レンズ３で鮮明な画像光を投射するために、すべて投射レンズ３のバックフォーカス位置に配置する必要があるため、単に青色光の光路長を伸ばそうとした場合には、他のすべての色光（赤色光及び緑色光）の光路長も伸ばさなければならず、光学装置５の小型化は困難となる。
【００２９】
上述した本実施形態によれば、以下の効果がある。
本実施形態では、プロジェクター１は、ワイヤーグリッド５１Ｂとプリズム５３との間の青色光の光路上にのみ配置され、当該ワイヤーグリッド５１Ｂを介してプリズム５３に入射する青色光を透過するガラス板５４を備える。
これにより、ガラス板５４を透過する青色光の光路長がガラス板５４を配置しない場合よりも長くなる。このため、各色光のすべての光路長を伸ばさなくても、青色光の光路長だけを伸ばすことができるため、青色光の光路と反射型光変調装置５２Ｇとの距離を十分に保ちつつ、プロジェクター１の小型化を図ることができる。
また、プロジェクター１は、このガラス板５４を備えることで、プロジェクター１のバックフォーカスのみを設計変更する必要が生じた場合であっても、ガラス板５４の厚さを変えるだけで工数をかけずにバックフォーカスを変えることができる。
【００３０】
また、プロジェクター１は、反射型光変調装置５２Ｂに入射する青色光の光路が、反射型光変調装置５２Ｇの背面側に位置付けられているため、当該青色光の光路と反射型光変調装置５２Ｇとの距離を適切に調整することができる。具体的に、ガラス板５４の厚さを適切に調整することで、ワイヤーグリッド５１Ｂ及びプリズム５３間の青色光の光路長を所望の値だけ伸ばすことができる。ガラス板５４が配置されていない場合と比較して、反射型光変調装置５２Ｇのヒートシンク５２２の熱を放熱するための空間を効率的に保つことができる。
【００３１】
［第２実施形態］
次に、本発明の第２実施形態を図面に基づいて説明する。
以下の説明では、前記第１実施形態と同様の構造及び同一部材には同一符号を付して、その詳細な説明は省略または簡略化する。なお、本実施形態は、ガラス板５４の配置に関して第１実施形態と相違し、他の構造は、前記第１実施形態と同様である。
【００３２】
図４は、本実施形態におけるガラス板５４について説明するための図である。
図４に示すように、本実施形態では、ガラス板５４は、プリズム５３に対して隙間を設けて配置している。
また、ガラス板５４は、プリズム５３の青色光の光入射面５３１に対して角度を設けて配置されている。具体的に、プリズム５３の光入射面５３１に対してガラス板５４の光出射側の端面である出射面５４２が所定の角度、傾斜するように配置されている。
なお、ガラス板５４は、保持部材（図示せず）でこの配置状態が動かないように保持されている。
【００３３】
上述した本実施形態によれば、前記第１実施形態の効果に加えて以下の効果がある。
本実施形態では、ガラス板５４の出射面５４２は、プリズム５３の光入射面５３１に対して所定の角度、傾斜するように配置されている。このため、プリズム５３の光入射面５３１で反射され、ガラス板５４にてさらに反射された色光（迷光）を、プリズム５３を外れた方向に進行させることができる。したがって、迷光がプリズム５３および投射レンズ３を介して投射画像に入り込むことを防止でき、投射画像の画像品位を良好に維持できる。
ガラス板５４は、保持部材により保持されるため、接着剤等を用いてガラス板５４をプリズム５３に接着する必要がなくなる。
【００３４】
なお、本発明は前述の各実施形態に限定されるものではなく、本発明の目的を達成できる範囲での変形、改良等は本発明に含まれるものである。
前記第１実施形態では、プリズム５３にガラス板５４を接着したが、これに限らず、ワイヤーグリッド５１Ｂに接着しても構わない。
前記各実施形態では、反射型偏光板としてワイヤーグリッド５１が用いられていたが、反射型偏光板であれば、その他の構成でも構わない。
例えば、反射型偏光板として、誘電体多層膜によって形成される偏光分離素子、液晶材料等の屈折率異方性（複屈折性）を有する有機材料を層状に積層させた高分子系の層状偏光板、偏りのない光を右回りの円偏光と左回りの円偏光とに分離する円偏光反射板と１／４波長板を組み合わせた光学素子、ブリュースター角を利用して反射偏光光と透過偏光光とに分離する光学素子、あるいは、ホログラムを利用したホログラム光学素子等を採用しても構わない。
【００３５】
前記各実施形態では、反射型偏光板としてのワイヤーグリッド５１は、第１の直線偏光光を透過させて反射型液晶パネル５２１に入射させるとともに、第２の直線偏光光を光路外に反射させていたが、これに限らない。
例えば、反射型偏光板としては、上記とは逆に、第１の直線偏光光を反射させて反射型液晶パネル５２１に入射させるとともに、第２の直線偏光光を透過させて光路外に出射する構成であっても構わない。
前記各実施形態では、透光性部材として白色ガラス製のガラス板５４を例示して説明したが、透光性部材は、これに限らず、サファイヤや樹脂材料等で形成しても構わない。適宜、材料を選定することで、屈折率の違いにより光路長の伸び量を調整することができる。また、透光性部材の形状についても、板形状に限らず、長方体等であっても構わない。
前記各実施形態では、ガラス板５４は、青色光の光路上に配置したが、これに限らず、赤色光の光路上や緑色光の光路上に配置しても構わない。具体的に、ガラス板５４は、クロスダイクロイックミラー４３１から反射型光変調装置５２までが独立した構成の光路（前記各実施形態では青色光）上に設けることが好ましい。
【００３６】
前記各実施形態では、ガラス板５４は、反射型光変調装置５２Ｇと青色光の光路の距離Ｌを確保するために設けたが、これに限らず、青色光の光路の障害となる他の部材との距離を確保するために設けても構わない。
前記各実施形態では、プロジェクター１は、反射型光変調装置５２を３つ備える三板式のプロジェクターで構成されていたが、これに限らず、反射型光変調装置５２を２つ備えるプロジェクターや、反射型光変調装置５２を４つ以上備えるプロジェクターとして構成されても構わない。
前記各実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
【産業上の利用可能性】
【００３７】
本発明は、プレゼンテーションやホームシアターに用いられるプロジェクターとして利用できる。
【符号の説明】
【００３８】
１・・・プロジェクター、５１・・・ワイヤーグリッド（反射型偏光板）、５２・・・反射型光変調装置、５３・・・クロスダイクロイックプリズム（色合成光学装置）、５４・・・ガラス板（透光性部材）、５３１・・・光入射面、５４２・・・出射面。
【図１】
2011150159.tif 000003
【図２】
2011150159.tif 000004
【図３】
2011150159.tif 000005
【図４】
2011150159.tif 000006